(57)【要約】【課題】転がり軸受装置の内部からのオイルミストの流出を確実に防止する。【解決手段】同軸に配置された内輪１１および外輪１３と、これら内輪１１と外輪１３との間の円環状空間に周方向に間隔をあけて配置される複数個の転動体１５とを備え、軸方向に間隔をあけて配列される２つの転がり軸受１０，２０と、転動体１５よりも軸方向の外側において内輪１１の外周面に取り付けられ、該内輪１１の外周面から外輪１３の近傍まで半径方向に延びるフランジ状の蓋部材１９とを備える転がり軸受装置１を提供する。【選択図】図２
2015149111.tif 000002
【特許請求の範囲】
【請求項１】
同軸に配置された内輪および外輪と、これら内輪と外輪との間の円環状空間に周方向に間隔をあけて配置される複数個の転動体とを備え、軸方向に間隔をあけて配列される２つの転がり軸受と、
前記転動体よりも前記軸方向の外側において前記内輪の外周面に取り付けられ、該内輪の外周面から前記外輪の近傍まで半径方向に延びるフランジ状の蓋部材とを備える転がり軸受装置。
【請求項２】
前記蓋部材が、前記内輪の前記外周面に嵌合する環状の部材であり、
前記蓋部材は、２つの前記内輪が互いに近接する方向に押圧されて前記転がり軸受に予圧がかけている状態の前記内輪の外周面に圧入状態に嵌合されることによって、前記内輪に取り付けられる請求項１に記載の転がり軸受装置。
【請求項３】
前記内輪が、前記蓋部材の前記軸方向の内側の端面と前記軸方向に突き当たる段差面を外周面に有する請求項１または請求項２に記載の転がり軸受装置。
【請求項４】
前記蓋部材が、前記内輪の端面と前記軸方向に突き当たる段差面を前記軸方向の内側の端面に有する請求項１または請求項２に記載の転がり軸受装置。
【請求項５】
前記蓋部材の前記軸方向の外側の端面と、前記内輪の端面とが、同一平面上に配置されている請求項１から請求項３のいずれかに記載の転がり軸受装置。
【請求項６】
前記蓋部材の外周面と前記外輪の内周面との隙間の幅が、該隙間の前記蓋部材の厚さ方向の経路長よりも小さい請求項１から請求項５のいずれかに記載の転がり軸受装置。
【請求項７】
前記蓋部材が、０．１ｍｍ以上の厚さを有し、
前記隙間の幅が、５０μｍ以下である請求項６に記載の転がり軸受装置。
【請求項８】
前記蓋部材の外周面に、前記軸方向の段差が形成され、
前記外輪の端部が、前記蓋部材の外周面に相補的な形状を有する請求項１から請求項７のいずれかに記載の転がり軸受装置。
【請求項９】
情報を記録する記録媒体と、
前記２つの転がり軸受の各前記内輪に嵌合される軸部材および各前記外輪を嵌合させる嵌合孔を有する外嵌部材のうち少なくとも一方を備える、請求項１から請求項８のいずれかに記載の転がり軸受装置と、
前記記録媒体および前記転がり軸受装置を支持するベース部と、
該ベース部に対して前記転がり軸受装置により、該転がり軸受の軸回りに揺動可能に支持されるアーム部と、
該アーム部に取り付けられ、前記記録媒体に情報を記録するヘッド部とを備える情報記録装置。
【発明の詳細な説明】
【技術分野】
【０００１】
本発明は、転がり軸受装置および情報記録装置に関するものである。
【背景技術】
【０００２】
従来、磁気記録装置（ＨＤＤ）等に用いられる転がり軸受装置が知られている（例えば、特許文献１および２参照。）。この転がり軸受装置は、同軸に配置された内輪および外輪と、これら内輪と外輪との間の円環状空間に周方向に間隔をあけて配置される複数個の転動体とを有する転がり軸受を備え、前記円環状空間内において転動体を回転自在に支持するリテーナに回転体と内輪および外輪との回転運動を潤滑するためのグリースが保持されている。
【０００３】
特許文献１，２のような情報記録装置用の転がり軸受装置において、回転運動に伴ってグリースが霧状化することによって、その内部でオイルミストが発生する。このオイルミストが記録媒体や磁気ヘッドに付着すると、読み書きエラーや故障の原因となる。そこで、特許文献１，２では、転動体の軸方向の外側に円環状空間を覆うハブキャップを設けることによって、オイルミストの円環状空間からの流出を防止している。
【先行技術文献】
【特許文献】
【０００４】
【特許文献１】特開２０１３−４８００５号公報
【特許文献２】特開平１１−１６６５２６号公報
【発明の概要】
【発明が解決しようとする課題】
【０００５】
しかしながら、特許文献１のハブキャップは、内輪の内側に嵌合されたシャフトに固定されたフランジ状の部材であり、外輪および内輪の軸方向の外側に配置されている。この構造においては、オイルミストの流出経路となるハブキャップと外輪との間の隙間の経路長を十分に確保することができず、オイルミストの流出を十分に防止することが難しい。
【０００６】
また、特許文献２のハブキャップは、シャフトに固定されたフランジ状の部材であり、シャフトから外輪の内周面近傍まで延びている。この構造においては、各部品の製造誤差および組み立て誤差の蓄積の影響により、ハブキャップと外輪との間の隙間の幅を正確に制御することが困難である。そのため、隙間の実際の幅が設計値よりも狭くなることによってハブキャップが外輪と接触し、それによって回転不良を引き起こすことを回避するために、前記隙間の幅を広く確保せざるを得ず、オイルミストの流出を十分に防止することが難しい。
【０００７】
本発明は、上述した事情に鑑みてなされたものであって、転がり軸受装置の内部からのオイルミストの流出を確実に防止することができる転がり軸受装置および情報記録装置を提供することを目的とする。
【課題を解決するための手段】
【０００８】
上記目的を達成するため、本発明は以下の手段を提供する。
本発明は、同軸に配置された内輪および外輪と、これら内輪と外輪との間の円環状空間に周方向に間隔をあけて配置される複数個の転動体とを備え、軸方向に間隔をあけて配列される２つの転がり軸受と、前記転動体よりも前記軸方向の外側において前記内輪の外周面に取り付けられ、該内輪の外周面から前記外輪の近傍まで半径方向に延びるフランジ状の蓋部材とを備える転がり軸受装置を提供する。
【０００９】
本発明によれば、２つの転がり軸受の各内輪の内側に軸部材を嵌合し、各外輪の外側に外枠部材を嵌合することによって、これら軸部材と外枠部材とを２つの転がり軸受によって軸回りに相対回転自在に支持することができる。また、内輪と外輪との間の円環状空間の出口を塞ぐように蓋部材が設けられているので、回転運動に伴って内部で発生するオイルミストの流出を防止することができる。
【００１０】
この場合に、十分な厚さの蓋部材を用いることによって、円環状空間からのオイルミストの流出経路となる、蓋部材の外周面と外輪の内周面との隙間の経路長を十分に確保することができる。また、蓋部材を内輪の外周面に取り付けることによって、蓋部材を軸部材の外周面に取り付けた場合と比べて、外輪との間の部品点数が少なくなり、個々の部品の製造誤差および組み立て誤差が前記隙間の実際の幅に与える影響が小さくなる。その結果、隙間の幅の正確な制御が可能となり、隙間の幅を十分に狭くすることができる。これにより、内部からのオイルミストの流出を確実に防止する。
【００１１】
また、上記発明においては、前記蓋部材が、前記内輪の前記外周面に嵌合する環状の部材であり、前記蓋部材は、２つの前記内輪が互いに近接する方向に押圧されて前記転がり軸受に予圧がかけている状態の前記内輪の外周面に圧入状態に嵌合されることによって、前記内輪に取り付けられてもよい。
【００１２】
内輪および外輪と転動体とを隙間なく接触させるために、内輪が互いに近接する方向に押圧されることによって転がり軸受に予圧がかけられる。この予圧工程の前に蓋部材を内輪の外周面に圧入状態に嵌合させた場合には、内輪の内径が縮小することによって転がり軸受に正常に予圧をかけることができなくなる可能性がある。したがって、予圧工程の後に蓋部材は内輪に取り付けられることが好ましい。また、内輪と蓋部材とを接着固定した場合、転がり軸受内部に接着剤が流れ込み、流れ込んだ接着剤が回転不良などの原因になり得る。そのため、内輪と蓋部材との固定には、圧入を用いることが好ましい。さらに、内輪と蓋部材とを圧入固定することで、内輪と蓋部材との間に隙間が生じないので、蓋部材の取り付け位置の誤差が発生せず、蓋部材と外輪との間の隙間を狭くすることができる。
【００１３】
また、上記発明においては、前記内輪が、前記蓋部材の前記軸方向の内側の端面と前記軸方向に突き当たる段差面を外周面に有していてもよく、または、前記蓋部材が、前記内輪の端面と前記軸方向に突き当たる段差面を前記軸方向の内側の端面に有していてもよい。
このようにすることで、蓋部材を内輪に圧入状態に嵌合させる際に、蓋部材の内側の端面が内輪の段差面に突き当たることによって、または、内輪の端面が蓋部材の内側の段差面に突き当たることによって、蓋部材と内輪との軸方向の相対位置が位置決めされる。これにより、蓋部材を内輪に対して押し込み過ぎて蓋部材が他の部材に接触することを防ぐことができる。
【００１４】
また、上記発明においては、前記蓋部材の前記軸方向の外側の端面と、前記内輪の端面とが、同一平面上に配置されていてもよい。
このようにすることで、蓋部材と内輪との軸方向の相対位置を容易に位置決めすることができる。
【００１５】
また、上記発明においては、前記蓋部材の外周面と前記外輪の内周面との隙間の幅が、該隙間の前記蓋部材の厚さ方向の経路長よりも小さいことが好ましく、前記蓋部材が、０．１ｍｍ以上の厚さを有し、前記隙間の幅が、５０μｍ以下であることがさらに好ましい。
このようにすることで、オイルミストの流出をさらに確実に防止することができる。なお、蓋部材の厚さの上限は、１．５ｍｍであることが好ましく、隙間の幅の下限は、３０μｍであることが好ましい。
【００１６】
また、上記発明においては、前記蓋部材の外周面に、前記軸方向の段差が形成され、前記外輪の端部が、前記蓋部材の外周面に相補的な形状を有していてもよい。
このようにすることで、オイルミストの流出経路の経路長をより長く確保し、オイルミストの流出をさらに確実に防止することができる。
【００１７】
本発明は、情報を記録する記録媒体と、前記２つの転がり軸受の各前記内輪に嵌合される軸部材および各前記外輪を嵌合させる嵌合孔を有する外嵌部材のうち少なくとも一方を備える、請求項１から請求項８のいずれかに記載の転がり軸受装置と、前記記録媒体および前記転がり軸受装置を支持するベース部と、該ベース部に対して前記転がり軸受装置により、該転がり軸受の軸回りに揺動可能に支持されるアーム部と、該アーム部に取り付けられ、前記記録媒体に情報を記録するヘッド部とを備える情報記録装置を提供する。
本発明によれば、転がり軸受装置の内部からのオイルミストの流出を確実に防止することができる。
【発明の効果】
【００１８】
本発明によれば、転がり軸受装置の内部で発生するオイルミストの流出を確実に防止することができるという効果を奏する。
【図面の簡単な説明】
【００１９】
【図１】本発明の一実施形態に係る転がり軸受装置を備える情報記録装置の概略構成図である。
【図２】図１の転がり軸受装置の縦断面図である。
【図３】図２の転がり軸受装置の変形例を示す縦断面図である。
【図４】図２の転がり軸受装置のもう１つの変形例を示す縦断面図である。
【図５】図２の転がり軸受装置のもう１つの変形例を示す縦断面図である。
【図６】図２の転がり軸受装置のもう１つの変形例を示す縦断面図である。
【図７】図２の転がり軸受装置のもう１つの変形例を示す縦断面図である。
【図８】図２の転がり軸受装置のもう１つの変形例を示す縦断面図である。
【発明を実施するための形態】
【００２０】
以下、本発明の一実施形態に係る転がり軸受装置および情報記録装置について、図面を参照して説明する。
本実施形態に係る情報記録装置１００は、ハードディスクドライブ装置であって、略矩形箱状のベースハウジング（ベース部）２と、ベースハウジング２に対して揺動可能なスイングアーム（アーム部）４と、このスイングアーム４を揺動自在に支持する転がり軸受装置１と、スイングアーム４を揺動させるボイスコイルモータ等の駆動部８とを備えている。図１において、符号６は磁気記録媒体を示している。
【００２１】
スイングアーム４の先端には、磁気記録媒体６に磁気情報を書き込んだり、磁気記録媒体６に記録されている磁気情報を読み取ったりする磁気ヘッド５が取り付けられている。
転がり軸受装置１は、ベースハウジング２に固定されるとともに、スイングアーム４の軸受嵌合孔（図示略）に嵌合されている。
【００２２】
この転がり軸受装置１は、図２に示すように、軸方向に間隔をあけて同軸に配列される第１転がり軸受１０および第２転がり軸受２０と、これらの転がり軸受１０，２０に嵌合されるシャフト３１と、転がり軸受１０，２０間に軸方向に挟まれるスペーサ３３とを備えている。
【００２３】
第１転がり軸受１０は、同軸に配置された円環形状の内輪１１および外輪１３と、これら内輪１１と外輪１３との間の円環状空間に周方向に間隔をあけて内蔵される複数個の転動体１５と、各転動体１５を回転自在に支持するリテーナ１７とを備えている。リテーナ１７には図示しないグリースが保持されており、リテーナ１７から転動体１５、内輪１１および外輪１３にグリースが継時的に供給されることによって、転動体１５と内輪１１および外輪１３との潤滑状態が維持されるようになっている。
【００２４】
第２転がり軸受２０は、第１転がり軸受１０と同様の構成および寸法を有し、内輪２１および外輪２３と、複数個の転動体２５と、リテーナ２７とを備えている。
これらの転がり軸受１０，２０は、内輪１１，２１に、ベースハウジング２に対して固定されるシャフト３１が嵌合され、外輪１３，２３がそれぞれスイングアーム４の軸受嵌合孔に嵌合されるようになっている。
【００２５】
転がり軸受１０，２０の外輪１３，２３の内周面には、該内周面から半径方向内方に突出するフランジ状のシールド１８が設けられている。シールド１８は、外輪１３，２３の内周面の全周にわたって延びる円環状の薄い板状部材であり、５０μｍ〜８０μｍの厚さを有している。また、シールド１８は、内輪１１の外周面との間に１００μｍ程度の幅の隙間を形成するように、その内径が設計されている。
【００２６】
また、第１転がり軸受１０の内輪１１の外周面には、該外周面から半径方向外方に突出するフランジ状のハブキャップ（蓋部材）１９が設けられている。なお、本実施形態においては、図２に示されるように、ハブキャップ１９が第１転がり軸受１０のみに設けられている構成について説明するが、図３に示されるように、ハブキャップ１９は、両方の転がり軸受１０，２０に設けられていてもよい。
【００２７】
ハブキャップ１９は、内輪１１の外周面に嵌合可能な円筒状の部材であり、転動体１５およびシールド１８よりも軸方向の外側において内輪１１に取り付けられる。具体的には、ハブキャップ１９は、転がり軸受装置１の組み立て過程において、内輪１１，２１を互いに近接する方向に押圧することによって転がり軸受１０，２０に予圧をかけた状態で接着固定する予圧工程の後に、内輪１１の外周面に圧入状態に嵌合させられる。
【００２８】
もし、予圧工程の前にハブキャップ１９を内輪１１に取り付けた場合には、内輪１１とシャフト３１との隙間が無くなり、すなわち、圧入状態になることで、転がり軸受１０，２０に正常に予圧をかけることができなくなる可能性がある。
また、圧入ではなく、接着剤を用いて、内輪１１，２１とハブキャップ１９とを固定した場合、接着剤が転がり軸受１０，２０の内部に流れ込み、流れ込んだ接着剤が回転不良などの原因になり得る。したがって、内輪１１，２１とハブキャップ１９との固定には、上記のような圧入や溶接を用いることが好ましい。また、圧入によれば、内輪１１，２１とハブキャップ１９との間に隙間が生じないので、隙間分の位置ずれが生じず、後述するハブキャップ１９と外輪１３，２３との隙間Ｓを狭くすることができる。
【００２９】
また、ハブキャップ１９の内輪１１への取り付け位置に関して、図３に示されるように、ハブキャップ１９の軸方向の外側に配置される端面が、内輪１１の軸方向の外側に配置される端面と同一平面上に位置するように内輪１１に取り付けられたときに、ハブキャップ１９がシールド１８や転動体１５に対して適切な配置となるように、設計されている。このようにすることで、ハブキャップ１９と内輪１１との組み立て時の軸方向の位置合わせを容易にすることができる。
【００３０】
ハブキャップ１９は、該ハブキャップ１９の外周面と外輪１３の内周面との間に所定の幅の隙間Ｓを形成するように、その外径寸法が設計されている。これにより、ハブキャップ１９と外輪１３とは、互いに接触することなく相対回転可能となっている。
ここで、隙間Ｓの幅は、該隙間Ｓの、ハブキャップ１９の内側の端面から外側の端面までの経路長よりも小さくなっている。隙間Ｓの幅は、５０μｍ以下であることが好ましく、３０μｍ以上５０μｍ以下であることが好ましい。また、隙間Ｓの経路長を決定するハブキャップ１９の厚さは、０．１ｍｍ以上１．５ｍｍ以下であることが好ましい。
【００３１】
以下、このように構成された転がり軸受装置１および情報記録装置１００の作用について説明する。
本実施形態に係る転がり軸受装置１は、転がり軸受１０，２０の内輪１１，２１と外輪１３，２３との間で転動体１５，２５がそれぞれ転動させられることによって、シャフト３１に固定された内輪１１，２１に対して外輪１３，２３がそれぞれ回動させられる。
【００３２】
これにより、本実施形態に係る情報記録装置１００は、駆動部８の作動によって、転がり軸受１０，２０の外輪１３，２３に固定されたスイングアーム４が、シャフト３１が固定されているベースハウジング２に対して中心軸線Ｃ回りに揺動させられる。そして、スイングアーム４の揺動に従い、磁気ヘッド５が磁気記録媒体６上を往復移動させられる。
【００３３】
例えば、駆動部８によりスイングアーム４を高速動作させると、磁気記録媒体６の所定の位置に記録されたデータへ磁気ヘッド５が瞬時に移動させられ、磁気ヘッド５により、磁気記録媒体６に記録されている磁気情報の読み取りや磁気情報の書き込みを行うことができる。
【００３４】
このような本実施形態に係る転がり軸受装置１および情報記録装置１００によれば、回転運動に伴ってグリースが霧状化し、それによって転がり軸受装置１の内部でオイルミストが発生する。このオイルミストの、転がり軸受装置１外部への流出経路となる、内輪１１，２１と外輪１３，２３との間の円環状空間の出口が、僅かな隙間Ｓを空けてハブキャップ１９によって覆われている。これにより、オイルミストの転がり軸受装置１外部への流出が防止され、オイルミストが磁気ヘッド５や磁気記録媒体６等に付着して読み書きエラーやその他の故障を引き起こすことを防止することができる。
【００３５】
この場合において、本実施形態に係る転がり軸受装置１および情報記録装置１００は、ハブキャップ１９が内輪２１に設けられており、ハブキャップ１９をシャフト３１に設けた場合と比べて、外輪１３の外周面との間に挟まれる部品点数が少なくて済む。これにより、個々の部品の製造誤差や組み立て誤差が蓄積したとしてもこれらの誤差が隙間Ｓの幅の実寸法に与える影響は小さく、隙間Ｓの幅がほぼ設計値通りである転がり軸受装置１を製造することが可能となる。
【００３６】
これにより、理想的な狭い幅を有する隙間Ｓを実現し、ハブキャップ１９によるオイルミストの流出防止効果を十分に得ることができるという利点がある。具体的には、ハブキャップをシャフトに設けた従来の構成において、隙間の幅は１００μｍ程度が限界であり、ハブキャップの厚さを２００μｍ程度にまで厚くしていた。これ以上狭い幅の隙間を実現しようとしたとしても、各部品の製造誤差および組み立て誤差の影響によって隙間の幅を正確に制御することができず、ハブキャップと外輪との接触を招いていた。これに対し、本実施形態によれば、上述したように、５０μｍ以下の幅の隙間Ｓであっても容易に実現することができる。
【００３７】
さらに、本実施形態においては、シールド１８もオイルミストの流出の防止に寄与するが、シールド１８と内輪１１との隙間の幅は、シールド１８の厚さよりも大きく、この隙間に侵入したオイルミストは容易にこの隙間を通過してしまう。これに対し、ハブキャップ１９と外輪１３との隙間Ｓの幅はシールド１８と内輪１１との隙間の幅よりも狭く、かつ、ハブキャップ１９はシールド１８よりも厚く形成されており、隙間Ｓの幅は、その経路長よりも十分に小さい。したがって、隙間Ｓにオイルミストが侵入したとしても容易にこの隙間Ｓを通過することはできない。これにより、オイルミストの流出に対して高い防止効果を発揮することができるという利点がある。
【００３８】
さらに、従来の薄いシールド１８は、主にプレス加工で成形されるが、ハブキャップ１９は、その厚さゆえに、プレス加工よりも高い加工精度が得られる切削加工で成形することができる。すなわち、シールド１８と内輪１１との隙間の幅を、１００μｍよりも狭くすることは困難であるが、ハブキャップ１９と外輪１３との隙間Ｓの幅は、５０μｍ以下の加工であっても設計値通りの寸法に仕上げることができる。
【００３９】
なお、本実施形態においては、内輪１１の外周面およびハブキャップ１９の内周面のうち一方が、図４および図５に示されるように、段差面１１ａまたは１９ａを有していてもよい。
図４においては、内輪１１の外周面が、端面から軸方向に全周にわたって切り欠かれることによって、段差面１１ａが形成されている。
図５においては、ハブキャップ１９の内周面が、端部から軸方向に全周にわたって切り欠かれることによって、段差面１９ａが形成されている。
【００４０】
このようにすることで、ハブキャップ１９を内輪１１の外周面に圧入状態に嵌合する際に、ハブキャップ１９が内輪１１の段差面１１ａに突き当たることによって、または、内輪１１がハブキャップ１９の段差面１９ａに突き当たることによって、ハブキャップ１９と内輪１１との軸方向の相対位置が所定の位置に位置決めされる。これにより、ハブキャップ１９の取り付け位置がシールド１８に近接し過ぎて該シールド１８と接触してしまうことを防ぐことができる。
【００４１】
また、本実施形態においては、隙間Ｓを画定するハブキャップ１９および外輪１３の外面形状は、適宜変更である。例えば、図６から図８に示されるように、ハブキャップ１９の外周面に軸方向の段差が形成され、外輪１３の端面が、ハブキャップ１９の段差形状に相補的な形状を有していてもよい。
このようにすることで、隙間Ｓの経路長がより長くなり、オイルミストの流出をさらに確実に防止することができる。
【００４２】
以上、本発明の実施形態について図面を参照して詳述してきたが、具体的な構成はこの実施形態に限られるものではなく、本発明の要旨を逸脱しない範囲の設計変更等も含まれる。例えば、本発明を上記の一実施形態および変形例に適用したものに限定されることなく、これらの一実施形態および変形例を適宜組み合わせた実施形態に適用してもよく、特に限定されるものではない。
【００４３】
例えば、上記実施形態においては、各転がり軸受１０，２０が、外嵌部材を備えない構成を例示して説明したが、転がり軸受１０，２０の外輪１３，２３を嵌合する嵌合孔を有する略円筒形状のスリーブ（外嵌部材、図示略）を備えることとしてもよい。
【００４４】
この場合、スリーブの嵌合孔に対して、スペーサ部材を挟んで軸方向の一方に第１転がり軸受１０が嵌合され、軸方向の他方に第２転がり軸受２０が嵌合されることとすればよい。また、スリーブがスイングアーム４の軸受嵌合孔に嵌合されることとすればよい。
また、転がり軸受装置１が、シャフト３１を備えずにスリーブ（外嵌部材、図示略）を備え、外輪１３，２３間ではなく内輪１１，２１間に、内輪１１，２１と略同じ径寸法の円環形状のスペーサを配置することとしてもよい。
【符号の説明】
【００４５】
１  転がり軸受装置
２  ベースハウジング（ベース部）
４  スイングアーム（アーム部）
５  磁気ヘッド（ヘッド部）
１０，２０  転がり軸受
１１，２１  内輪
１３，２３  外輪
１５，２５  転動体
１７，２７  リテーナ
１８  シールド
１９  ハブキャップ（蓋部材）
３１  シャフト（軸部材）
１００  情報記録装置
【図１】
2015149111.tif 000003
【図２】
2015149111.tif 000004
【図３】
2015149111.tif 000005
【図４】
2015149111.tif 000006
【図５】
2015149111.tif 000007
【図６】
2015149111.tif 000008
【図７】
2015149111.tif 000009
【図８】
2015149111.tif 000010